(57)【要約】【課題】外力によるコンタクト端子の変形に対する抵抗力を確保できる電気部品用ソケット装置の提供。【解決手段】電気接続に活用される複数の接触部５を有する電気部品３が装着されるハウジング１と、このハウジング１に複数設けられ、上部に頂部２ｂを有し、下部にこの頂部２ｂに連設され、電気部品３の接触部５に接続される接続部２ｃを有するコンタクト端子２とを備えると共に、ハウジング１に、コンタクト端子２の頂部２ｂの動きを規制する規制部１ａを設けた構成にしてある。また、接続部２Ｃはハウジング１の内方側に向けて突出形成させてある。【選択図】図５
2005340076.tif 000002
【特許請求の範囲】
【請求項１】
電気接続に活用される複数の接触部を有する電気部品が装着されるハウジングと、このハウジングに複数設けられ、上記電気部品の接触部に接続される接続部を有するコンタクト端子とを備えると共に、
上記ハウジングに、上記コンタクト端子の頂部の動きを規制する規制部を設けたことを特徴とする電気部品用ソケット装置。
【請求項２】
上記請求項１記載の発明において、
上記規制部が、上記頂部が収容される溝部の側壁部から成ることを特徴とする電気部品用ソケット装置。
【請求項３】
上記請求項１記載の発明において、
上記コンタクト端子の上記接続部を上記ハウジングの内方側に向けて突出形成したことを特徴とする電気部品用ソケット装置。
【請求項４】
上記請求項３記載の発明において、
上記電気部品が、上記接触部が形成される溝部と、この溝部に連設される突出部とを備え、
上記コンタクト端子を、上記接続部の側端部が、上記電気部品が上記ハウジングに装着される際に、上記電気部品の上記突出部に係合可能なように配置したことを特徴とする電気部品用ソケット装置。
【請求項５】
上記請求項４記載の発明において、
上記電気部品が、上記接触部が配置される上記溝部の両側のそれぞれに上記突出部を有し、
上記規制部を上記コンタクト端子の上記頂部の両側のそれぞれに設けことを特徴とする電気部品用ソケット装置。
【請求項６】
上記請求項１記載の発明において、
上記コンタクト端子は、上記頂部に形成され、上記ハウジングに上記電気部品が装着された際に、対向している電気部品との距離が遠くなる部分を有する裾部を備えたことを特徴とする電気部品用ソケット装置。
【請求項７】
上記請求項６記載の発明において、
上記裾部を、上記頂部の両側のそれぞれに形成したことを特徴とする電気部品用ソケット装置。
【請求項８】
上記請求項４記載の発明において、
上記電気部品の上記接触部と接続する上記コンタクト端子の上記接続部の接続面は、金属板材の圧延面から成り、上記接続部の側端部は上記接続部の上記接続面側の幅よりも幅狭となっていることを特徴とする電気部品用ソケット装置。
【発明の詳細な説明】
【技術分野】
【０００１】
本発明は、電気部品が装着されるハウジング内に、電気部品に形成される複数の接触部のそれぞれと接続される接続部を有する複数のコンタクト端子を備えた電気部品用ソケット装置に関する。
【背景技術】
【０００２】
この種の従来技術として、例えば特許文献１に記載の技術がある。図１５は特許文献１に記載される従来の電気部品用ソケット装置を示す説明図である。
【０００３】
この図１５に示される従来のソケット装置は、全体形状が角形から成る枠体、すなわちハウジング１０の四方の内壁のそれぞれに複数のコンタクト端子１１を備え、プリント配線板１２上に設置されるようになっている。ハウジング１０に装着される電気部品１３は、ＩＣ回路を内蔵しており、四方の側部のそれぞれに複数の溝部１４が形成されている。溝部１４のそれぞれには、上述のコンタクト端子１１に接続される接触部１５が配置されている。コンタクト端子１１は、上部に頂部１１ａを有し、下部に頂部１１ａに連設され、電気部品１３の接触部１５に接続される接続部１１ｂを有している。接続部１１ｂはハウジング１０の内方側に向けて突出形成してある。
【特許文献１】特許第２６００８１６号公報
【発明の開示】
【発明が解決しようとする課題】
【０００４】
上述した従来技術では、コンタクト端子１１の頂部１１ａ及び接続部１１ｂがハウジング１０の内壁から突出しているので、電気部品１３をハウジング１０に装着する以前に、コンタクト端子１１が何らかの外力を受けて変形する懸念がある。このようなコンタクト端子１１の変形を生じると、コンタクト端子１１を正しい形に復帰させる煩雑な修復作業が必要になり、電気部品１３のハウジング１０への装着作業の能率が低下する。
【０００５】
本発明は、上述した従来技術における実状からなされたもので、その目的は、外力によるコンタクト端子の変形に対する抵抗力を確保できる電気部品用ソケット装置を提供することにある。
【課題を解決するための手段】
【０００６】
上記目的を達成するために、本発明は、電気接続に活用される複数の接触部を有する電気部品が装着されるハウジングと、このハウジングに複数設けられ、上記電気部品の接触部に接続される接続部を有するコンタクト端子とを備えると共に、上記ハウジングに、上記コンタクト端子の頂部の動きを規制する規制部を設けたことを特徴としている。
【０００７】
このように構成した本発明は、コンタクト端子が何らかの外力を受けたとき、コンタクト端子の頂部がハウジングの規制部に係合し、この規制部によって外力によるコンタクト端子の変形に対する抵抗力を確保できる。したがって、コンタクト端子を外力によって変形しにくいように保持できる。
【０００８】
また本発明は、上記発明において、上記規制部が、上記頂部が収容される溝部の側壁部から成ることを特徴としている。
【０００９】
このように構成した本発明は、コンタクト端子が何らかの外力を受けたとき、コンタクト端子の頂部が、ハウジングに形成された溝部、すなわち頂部が収容される溝部の側壁部に係合し、これによってコンタクト端子の変形に対する抵抗力を確保できる。
【００１０】
また本発明は、上記発明において、上記コンタクト端子の上記接続部を上記ハウジングの内方側に向けて突出形成したことを特徴としている。
【００１１】
このように構成した本発明は、電気部品をハウジングに装着した際に、電気部品の接触部とコンタクト端子の接続部との間に十分な接触圧を確保でき、接触部と接続部との安定した接続を実現できる。
【００１２】
また本発明は、上記発明において、上記電気部品が、上記接触部が配置される溝部と、この溝部に連設される突出部とを備え、上記コンタクト端子を、上記接続部の側端部が、上記電気部品が上記ハウジングに装着される際に、上記電気部品の上記突出部に係合可能なように配置したことを特徴としている。
【００１３】
このように構成した本発明は、仮にコンタクト端子が外力によって変形してしまっていても、電気部品をハウジングに装着する際に、その電気部品のハウジングへの挿入動作により、電気部品の突出部がコンタクト端子の接続部に係合し、電気部品の突出部によって変形したコンタクト端子の接続部の側端部が押圧力を受ける。したがって、変形して位置ずれしているコンタクト端子の接続部を電気部品の接触部に対向するように動かすことができる。
【００１４】
また本発明は、上記発明において、上記電気部品が、上記接触部が配置される上記溝部の両側のそれぞれに上記突出部を有し、上記規制部を上記コンタクト端子の上記頂部の両側のそれぞれに設けたことを特徴としている。
【００１５】
このように構成した本発明は、電気部品をハウジングに装着する際、仮にコンタクト端子が外力によってコンタクト端子の幅方向のいずれの方向に変形していても、電気部品の突出部がコンタクト端子の頂部付近から接続部にわたって係合し、このコンタクト端子の側端部が電気部品の突出部によって押圧力を受ける。したがって、変形して位置ずれしているコンタクト端子の接続部を電気部品の接触部に対向するように確実に動かすことができる。
【００１６】
また本発明は、上記発明において、上記コンタクト端子は、上記頂部に形成され、上記ハウジングに上記電気部品が装着された際に、対向している電気部品との距離が遠くなる部分を有する裾部を備えたことを特徴としている。
【００１７】
このように構成した本発明は、コンタクト端子の頂部に裾部を形成したことから、頂部付近の電気部品と対向する側の幅寸法を小さくすることができ、この頂部付近を電気部品の溝部に挿入しやすくすることができると共に、この裾部を設けることによって幅寸法を小さくする必要がないために強度を確保でき、所望の接触圧が得られるばね力を確保できる。また、電気部品のハウジングへの装着に際し、溝部間に位置する突出部がコンタクト端子の頂部に接触することがあっても、その突出部はコンタクト端子の裾部によって案内されるので、円滑に電気部品をハウジングに装着させることができる。したがって、電気部品の上述の突出部とコンタクト端子の頂部との干渉を避けることができる。
【００１８】
また本発明は、上記発明において、上記裾部を、上記頂部の両側のそれぞれに形成したことを特徴とする。
【００１９】
このように構成した本発明は、電気部品のハウジングへの装着に際し、１つのコンタクト端子の頂部付近の両側に形成した裾部のそれぞれが、対応する接触部が形成される電気部品の溝部の両側に位置する２つの突出部を円滑に案内することができる。
また本発明は、上記発明において、上記電気部品の上記接触部と接続する上記コンタクト端子の上記接続部の接続面は、金属板材の圧延面から成り、上記接続部の側端部は上記接続部の上記接続面側の幅よりも幅狭となっていることを特徴としている。
このように構成した本発明は、電気部品の接触部との接続を金属板材の圧延面から成るコンタクト端子の接続部の接続面で行なうようになっており、圧延面は表面が滑らかであるので、電気部品の接触部との接続を確実に行なわせることができる。また、接続面側は側端部よりも幅広であるので側方への変形を生じにくい。
【発明の効果】
【００２０】
本発明は、ハウジングに、コンタクト端子の頂部の動きを規制する規制部を設けたことから、この規制部によって外力によるコンタクト端子の変形に対する抵抗力を確保できる。したがって、コンタクト端子を外力によって変形しにくいように保持できる。すなわち、コンタクト端子の形状を正しく保つ機能に優れ、電気部品のハウジングへの装着作業の能率向上に貢献する。
【発明を実施するための最良の形態】
【００２１】
以下，本発明に係る電気部品用ソケット装置を実施するための最良の形態を図に基づいて説明する。
【００２２】
図１は本発明の一実施形態を斜視図、図２は図１に示す一実施形態の平面図、図３は図２の一部を拡大して示した図である。図４は図１に示す一実施形態の縦断面図、図５は図４の一部を拡大して示した図である。図６は図１に示す一実施形態に備えられるコンタクト端子を示す説明図で、（ａ）図は平面図、（ｂ）図は正面図、（ｃ）図は斜視図、（ｄ）図は側面図である。
【００２３】
図１〜５に示すように、本実施形態は、例えば全体形状が角形のハウジング１を備え、このハウジング１の四方の内壁のそれぞれに、後述する電気部品３の溝部４に配置した接触部５に接続される複数のコンタクト端子２を備えている。
【００２４】
これらのコンタクト端子２のそれぞれは、金属板材の圧延面方向からの打ち抜き加工等により形成されており、図６に示すように、ハウジング１に例えば埋設保持される支持部２ａと、この支持部２ａに連設される頂部２ｂと、この頂部２ｂに連設されハウジング１の底部に向かって延設される接続部２ｃと、支持部２ａに連設され、図示しない回路基板に接続される端子部２ｄとを含んでいる。
【００２５】
特に本実施形態は、図４，５に示すように、ハウジング１に、コンタクト端子２の頂部２ｂの動きを規制する規制部１ａを設けた構成にしてある。この規制部１ａは、例えばハウジング１に形成され、頂部２ｂが収容される溝部の側壁部から成っている。すなわち、本実施形態では、コンタクト端子２の頂部２ｂの両側のそれぞれに、この頂部２ｂの動きを規制する側壁部、すなわち規制部１ａが設けられている。また図６に示すように、電気部品３の接触部５と接続されるコンタクト端子２の接続部２ｃの接続面２ｃ１は金属板材の圧延面で形成され、滑らかな面となっている。この接続部２ｃの側端部２ｃ２は、接続面２ｃ１側よりも幅狭となっており、側端部２ｃ２は金属板材の板厚方向に沿った破断面で形成されている。また、接続部２ｃの接続面２ｃ１の両側はテーパ形状となっている。
【００２６】
また、本実施形態は、図６に示すように、コンタクト端子２のそれぞれの頂部２ｂの側部に、ハウジング１に後述の電気部品３が装着された際に、対向している電気部品３との距離が遠くなる部分を有する裾部２ｅを備えている。この裾部２ｅは、例えばコンタクト端子２の頂部２ｂの両側に形成されるテーパ部から成っている。
【００２７】
また、図６の（ｂ）図に示すコンタクト端子２の支持部２ａの幅寸法Ｌ１は、後述する電気部品３に配置した溝部４の幅寸法よりも大きく設定してあり、接続部２ｃの幅寸法Ｌ２は、上述の溝部４へ挿入させるために溝部４の幅寸法よりも十分に小さく設定してある。なお、コンタクト端子２を作製する金属板材の板厚は、接続部２ｃの幅寸法Ｌ２よりも小さい。
すなわち各幅寸法は、
金属板材の板厚＜Ｌ２＜溝部４の幅寸法＜Ｌ１
の関係に設定してある。
【００２８】
また、図６の（ｄ）図に示すように、コンタクト端子２の裾部２ｅの領域を、頂部２ｂの形成長さ寸法にほぼ等しい長さ寸法Ｂに設定してある。すなわち、後述する電気部品３の溝部４間に位置する突出部３ａが接触し得る頂部２ｂ付近の領域の長さ寸法Ａよりも上述の長さ寸法Ｂを十分に長く設定してある。
【００２９】
図７は図１に示す一実施形態に電気部品を装着させる直前の状態を示す斜視図、図８は図１に示す一実施形態に電気部品を装着させた状態を示す縦断面図、図９は図１に示す一実施形態に電気部品を装着させた状態を示す平面図、図１０は図９の一部を拡大して示した図である。
【００３０】
図７，９，１０に示すように、電気部品３は例えばＩＣ回路を内蔵しており、四方の側部の下端部分に、上述した複数のコンタクト端子２にそれぞれ電気接続される接触部５が配置される複数の溝部４を備え、これらの溝部４間には突出部３ａが形成されている。上述したコンタクト端子２のそれぞれは、これらの側端部２ｃ２が、電気部品３がハウジング１に装着される際に、電気部品３の突出部３ａに係合可能なように配置してある。
【００３１】
このような電気部品３が、図８〜１０に示すように、本実施形態のハウジング１内に装着されると、電気部品３の接触部５のそれぞれが対応するコンタクト端子２の接続部２Ｃのそれぞれに導通する。これにより、電気部品３に内蔵されるＩＣ回路が、本実施形態が取付けられる図示しない回路基板に、本実施形態を介して電気接続され、ＩＣ回路と図示しない回路基板間の信号の送受信が可能となる。
【００３２】
特に本実施形態は、ハウジング１に、コンタクト端子２の頂部２ｂの動きを規制する規制部１ａを設けたことから、ハウジング１に電気部品３を装着する以前にコンタクト端子２が何らかの外力を受けた際に、コンタクト端子２の頂部２ｂがハウジング１の規制部１ａに係合し、この規制部１ａによって外力によるコンタクト端子２の変形に対する抵抗力を確保できる。したがって、コンタクト端子２を外力によって変形しにくいように保持できる。すなわち、本実施形態は、コンタクト端子２の形状を正しく保つ機能に優れ、電気部品３のハウジング１への装着作業の能率向上に貢献する。
【００３３】
図１１は、図１に示す実施形態に備えられるコンタクト端子が変形してしまった場合における電気部品の装着動作を示す図である。
【００３４】
この図１１に示すように、電気部品３をハウジング１に装着する以前に、仮にコンタクト端子２が外力を受けて変形していたとしても、電気部品３のハウジング１への装着に際し、同図１１の（ａ）図に示すように、電気部品３の突出部３ａの間に変形を生じたコンタクト端子２の頂部２ｂ付近が位置することから、電気部品３のハウジング１への挿入動作に伴って、同図１１の（ａ）図→（ｂ）図→（ｃ）図と、コンタクト端子２の頂部２ｂ付近から接続部２ｃにわたって、このコンタクト端子２の側端部が電気部品３の突出部３ａによって押圧力を受ける。このとき、コンタクト端子２の頂部２ｂがハウジング１の規制部１ａによって動きを規制されていることから、コンタクト端子２の接続部２ｃが電気部品３の接触部５に対向する方向に強制的に動かされ、これらの接続部２ｃと接触部５とを確実に接続させることができる。
【００３５】
また、本実施形態は、コンタクト端子２の頂部２ｂの側部に裾部２ｅを形成したことから、頂部２ｂ付近の電気部品３に対向する側の幅寸法を小さくすることができ、この頂部２ｂ付近を電気部品３の溝部４に挿入しやすくすることができると共に、この裾部２ｅを設けることによって幅寸法を小さくする必要がなくなるために強度を確保でき、所望の接触圧が得られるばね力を確保できる。また、電気部品３のハウジング１への装着に際し、電気部品３の突出部３ａがコンタクト端子２の頂部２ｂに接触することがあっても、その突出部３ａはコンタクト端子２の裾部２ｅに案内されるので、円滑に電気部品３をハウジング１に装着させることができる。したがって、電気部品３の突出部３ａとコンタクト端子２の頂部２ｂとの干渉を避けることができる。
【００３６】
したがって本実施形態によれば、コンタクト端子２のばね力を低下させることなく、電気部品３の突出部３ａとコンタクト端子２の頂部２ｂとの干渉を避けることができる。これにより、電気部品３の接触部５とコンタクト端子２との間に所望の接触圧を確保でき、また、電気部品３をハウジング１に装着する際のコンタクト端子２の変形を防止でき、小型化の要望にも応えることができると共に、電気部品用ソケット装置としての高い信頼性を確保できる。
【００３７】
また、上述のような電気部品３のハウジング１への装着に際し、１つのコンタクト端子２の頂部２ｂ付近の両側に形成した裾部２ｅのそれぞれが、対応する接触部５が配置される電気部品３の溝部４の両側に位置する２つの突出部３ａを円滑に案内することができ、電気部品３の装着作業が容易である。
【００３８】
また、コンタクト端子２の裾部２ｅはテーパ部から成るので形成が容易である。すなわち、所定の板材からのコンタクト端子素材の打ち抜き加工と同時にテーパ部から成る裾部２ｅを容易に形成できる。あるいは、コンタクト端子素材の打ち抜き加工の後の工程としてテーパ部から成る裾部２ｅを叩打加工等によって容易に形成することができる。
【００３９】
また、コンタクト端子２の頂部２ｂの幅寸法を大きくしたことにより、このコンタクト端子２のばね力を強くすることができ、容易に所望の接触圧を確保できる。
【００４０】
また、コンタクト端子２の裾部２ｅの領域を十分に長く設定してあることから、金属板材から打ち抜いてコンタクト端子２を製作するに際し、形成した頂部２ｂの付近に確実に電気部品３の突出部３ａとの干渉を避ける裾部２ｅを配置させることができる。
さらに本実施形態は、電気部品３の接触部５との接続をコンタクト端子２の接続部２ｃに形成される接続面２ｃ１で行なうようになっており、接続面２ｃ１は金属板材の圧延面で形成され、圧延面は表面が滑らかであるので、電気部品３の接触部５との接触を確実に行なわせることができる。すなわち、接触不良を生じない信頼性の高い装置とすることができる。また、接続部２ｃの接続面２ｃ１側は側端部２ｃ２よりも幅広であるので、側方への変形を生じにくい。
【００４１】
図１２は本発明の別の実施形態の要部を示す縦断面図、図１３は図１２の一部を拡大して示した図、図１４は図１２に示す別の実施形態に備えられるコンタクト端子を示す説明図で、（ａ）図は平面図、（ｂ）図は正面図、（ｃ）図は斜視図、（ｄ）図は側面図である。
【００４２】
これらの図１２〜１４に示す別の実施形態は、コンタクト端子６の頂部６ｂを、前述した実施形態におけるような裾部２ｅを有しない平坦な形状に形成してある。このコンタクト端子６の他の部分、すなわち支持部６ａ、接続部６ｃ、接続面６ｃ１、側端部６ｃ２、及び端子部６ｄは、例えば前述した実施形態における支持部２ａ、接続部２ｃ、接続面２ｃ１、側端部２ｃ２、及び端子部２ｄと同等に形成してある。
【００４３】
その他の構成については、前述した実施形態と同等である。この別の実施形態にあっても、図１２，１３に示すように、ハウジング１に、コンタクト端子６の頂部６ｂの動きを規制する規制部１ａを設けた構成にしてある。規制部１ａは、前述した実施形態におけるのと同様に、コンタクト端子６の頂部６ｂをハウジング１に形成した溝部に収容させることにより、コンタクト端子６の頂部６ｂの両側に設けられている。
【００４４】
このように構成した別の実施形態も、ハウジング１に、コンタクト端子６の頂部６ｂの動きを規制する規制部１ａを設けてあるので、前述した実施形態におけるのと同様に、コンタクト端子６が何らかの外力を受けたときに、コンタクト端子６の頂部６ｂがハウジング１の規制部１ａに係合し、この規制部１ａによって外力によるコンタクト端子６の変形に対する抵抗力を確保できる。したがって、コンタクト端子６を外力によって変形しにくいように保持できる。この別の実施形態も、コンタクト端子６の形状を正しく保つ機能に優れ、電気部品３のハウジング１への装着作業の能率向上に貢献する。
【図面の簡単な説明】
【００４５】
【図１】本発明の電気部品用ソケット装置の一実施形態を示す斜視図である。
【図２】図１に示す一実施形態の平面図である。
【図３】図２の一部を拡大して示した図である。
【図４】図１に示す一実施形態の縦断面図である。
【図５】図４の一部を拡大して示した図である。
【図６】図１に示す一実施形態に備えられるコンタクト端子を示す説明図で、（ａ）図は平面図、（ｂ）図は正面図、（ｃ）図は斜視図、（ｄ）図は側面図である。
【図７】図１に示す一実施形態に電気部品を装着させる直前の状態を示す斜視図である。
【図８】図１に示す一実施形態に電気部品を装着させた状態を示す縦断面図である。
【図９】図１に示す一実施形態に電気部品を装着させた状態を示す平面図である。
【図１０】図９の一部を拡大して示した図である。
【図１１】図１に示す実施形態に備えられるコンタクト端子が変形してしまった場合における電気部品の装着動作を示す図である。
【図１２】本発明の別の実施形態の要部を示す縦断面図である。
【図１３】図１２の一部を拡大して示した図である。
【図１４】図１２に示す別の実施形態に備えられるコンタクト端子を示す説明図で、（ａ）図は平面図、（ｂ）図は正面図、（ｃ）図は斜視図、（ｄ）図は側面図である。
【図１５】従来の電気部品用ソケット装置を示す説明図である。
【符号の説明】
【００４６】
１    ハウジング
１ａ  規制部
２    コンタクト端子
２ａ  支持部
２ｂ  頂部
２ｃ  接続部
２ｃ１  接続面
２ｃ２  側端部
２ｄ  端子部
２ｅ  裾部
３    電気部品
３ａ  突出部
４    溝部
５    接触部
６    コンタクト端子
６ａ  支持部
６ｂ  頂部
６ｃ  接続部
６ｃ１  接続面
６ｃ２  側端部
６ｄ  端子部
【図１】
2005340076.tif 000003
【図２】
2005340076.tif 000004
【図３】
2005340076.tif 000005
【図４】
2005340076.tif 000006
【図５】
2005340076.tif 000007
【図６】
2005340076.tif 000008
【図７】
2005340076.tif 000009
【図８】
2005340076.tif 000010
【図９】
2005340076.tif 000011
【図１０】
2005340076.tif 000012
【図１１】
2005340076.tif 000013
【図１２】
2005340076.tif 000014
【図１３】
2005340076.tif 000015
【図１４】
2005340076.tif 000016
【図１５】
2005340076.tif 000017